【事件の表示】
　特願２００１−１９２６２５「毛髪化粧料」拒絶査定不服審判事件〔平成１５年　１月１５日出願公開、特開２００３−　１２４６４〕について、次のとおり審決する。
【結　論】
　本件審判の請求は、成り立たない。
【理　由】
１．手続の経緯
　本願は、平成１３年６月２６日の出願であって、拒絶理由に対して平成１６年７月５日付けで意見書とともに手続補正書が提出され、同年１２月１５日付けで拒絶査定され、これに対して平成１７年１月２０日に拒絶査定に対する審判請求がなされるとともに、同年２月２１日付けで手続補正がなされたものである。
　
２．平成１７年２月２１日付け手続補正についての補正却下の決定
　［補正却下の決定の結論］
　平成１７年２月２１日付け手続補正を却下する。
　［理由］
（１）手続補正の内容
　本件補正は、補正前の特許請求の範囲
「【請求項１】
　次の成分(A)及び(B)
(A) 高級アルコール又は脂肪酸若しくはその塩
(B) 一般式(1)で表されるジアミド化合物
【化１】
〔式中、Ｒ１は水酸基及び／又はアルコキシ基が置換していてもよい炭素数１〜１２の直鎖又は分岐鎖の炭化水素基を示し、Ｒ２は炭素数２〜５の直鎖又は分岐鎖の二価の炭化水素基を示し、Ｒ３は炭素数１〜２２の直鎖又は分岐鎖の二価の炭化水素基を示す。〕
を含有する毛髪化粧料。
　【請求項２】
　成分(B)として、一般式(1)中のＲ３が炭素数１１〜２２の直鎖若しくは分岐鎖のアルキレン基又は１〜４個の二重結合を有するアルケニレン基であるジアミド化合物を含有するものである請求項１記載の毛髪化粧料。
　【請求項３】
　更に、成分(C)として界面活性剤を含有する請求項１又は２記載の毛髪化粧料。」
　を、
「【請求項１】
　次の成分(A)、(B)及び(C)
(A) 炭素数１２〜３０の高級アルコール　0.1〜20重量％
(B) 一般式(１)で表されるジアミド化合物　0.01〜20重量％
【化１】
〔式中、Ｒ１は水酸基及び／又はアルコキシ基が置換していてもよい炭素数１〜１２の直鎖又は分岐鎖の炭化水素基を示し、Ｒ２は炭素数２〜５の直鎖又は分岐鎖の二価の炭化水素基を示し、Ｒ３は炭素数１１〜２２の直鎖若しくは分岐鎖のアルキレン基又は１〜４個の二重結合を有するアルケニレン基を示す。〕
(C) 界面活性剤　0.1〜20重量％
を含有する毛髪化粧料。」
　とする補正を含むものである。
　
（２）補正の適否
　上記手続補正は、補正前の請求項３に係る発明の発明特定事項であった成分（Ａ）〜成分（Ｃ）について、それぞれの配合割合を明細書の段落【０００９】、【００１６】及び【００３２】の記載に基づいて特定することにより減縮し、さらに成分（Ａ）の高級アルコールについては、炭素数を明細書の段落【０００８】の記載に基づいて特定することにより減縮し、成分（Ｂ）のジアミド化合物については、一般式（１）中の記号Ｒ３の定義を、補正前の「炭素数１〜２２の直鎖又は分岐鎖の二価の炭化水素基」から、明細書の段落【００１２】の記載に基づいて「炭素数１１〜２２の直鎖若しくは分岐鎖のアルキレン基又は１〜４個の二重結合を有するアルケニレン基」に減縮し、請求項の番号を補正前の３から補正後の１に補正し、補正前の請求項１及び２は削除するものであるから、特許法第１７条の２第４項第２号に掲げられる特許請求の範囲の減縮、及び同第１号に掲げられる請求項の削除を目的とするものである。そして、この補正は、いずれも願書に最初に添付した明細書に記載された事項の範囲内でなされたものであるので、特許法第１７条の２第３項の要件も満足するものである。
　そこで、以下、本件補正後の請求項１に係る発明（以下、「本願補正発明」という。）が、特許出願の際独立して特許を受けることができるものであるか（特許法第１７条の２第５項において準用する同法第１２６条第５項の規定に適合するか）について検討する。
　
（３）刊行物及び記載事項
　本件出願前に頒布された刊行物１は次のとおりである。
刊行物１：国際公開第００／６１０９７号パンフレット
　
　刊行物１には、以下の事項が記載されている。
記載事項１−１：請求の範囲の請求項１、２
「１．次の一般式（１）：
（式中、Ｒ１は、ヒドロキシ基及び／又はアルコキシ基が置換していてもよい、炭素数１〜２２の直鎖又は分岐鎖の炭化水素基を示し、Ｒ２は、炭素数１〜１２の直鎖又は分岐鎖の二価の炭化水素基を示し、Ｒ３は、炭素数１〜４２の直鎖又は分岐鎖の二価の炭化水素基を示す。）で表わされるジアミド誘導体を含有する外用剤組成物。
　２．化粧料組成物である請求項１記載の外用剤組成物。」
　
記載事項１−２：第３頁８〜１５行
「Ｒ１は・・・Ｃ１−Ｃ１８アルキル基、Ｃ２−Ｃ１２のモノ−又はジ−ヒドロキシアルキル基、Ｃ１−Ｃ６アルコキシ置換Ｃ２−Ｃ１２アルキル基、ヒドロキシとＣ１−Ｃ６アルコキシが置換したＣ２−Ｃ１２アルキル基がより好ましい。」
　
記載事項１−３：第３頁下から２行〜同末行
「Ｒ２は・・・炭素数２〜６の直鎖又は分岐鎖のアルキレン基が好ましい。」
　
記載事項１−４：第４頁６〜１０行
「Ｒ３は・・・特に炭素数２〜２４の直鎖又は分岐鎖のアルキレン基又は１〜４個の二重結合を有するアルケニレン基が好ましい。」
　
記載事項１−５：第９頁４〜１６行
「本発明の外用剤組成物は、その使用形態において、薬用皮膚外用剤と化粧料に大別される。・・・化粧料（皮膚化粧料及び毛髪化粧料を含む）として使用する場合は、必須成分であるジアミド誘導体（１）の他に、化粧料成分として一般に使用されている油分、界面活性剤、保湿剤、紫外線吸収剤、美白剤、しわ改善剤、アルコール類、キレート剤、ｐＨ調整剤、防腐剤、増粘剤、色素、香料等を任意に組合せて配合することができる。」
　
記載事項１−６：第９頁２３〜２５行
「本発明の外用剤組成物におけるジアミド誘導体（１）の含有量は・・・重量％（以下、単に％で示す）」
　
記載事項１−７：第１０頁１１〜１４行
「ジアミド誘導体（１）の本発明毛髪化粧料中の含有量は、特に制限されるものではないが、シャンプー等にあっては０．００１〜５％、リンス、トリートメント、コンディショナー、スタイリング剤等にあっては０．１〜２０％、ヘアリキッド、ヘアトニック等にあっては０．０１〜５％程度が好ましい。」
　
記載事項１−８：第１０頁下から６行〜同末行
「本発明化粧料がヘアリンス、コンディショナー、ヘアトリートメント、ヘアスタイリング剤である場合、毛髪に良好な感触を付与するため、モノ−又はジ−長鎖アルキル四級アンモニウム塩等のカチオン界面活性剤、ポリオキシエチレンアルキル又はアルケニルエーテル等の非イオン界面活性剤、及び流動パラフィン等の油脂類を含有させることができる。カチオン及びノニオン界面活性剤の配合量は、組成物中０．１〜５０％、特に０．５〜２０％が好ましい。」
　
記載事項１−９：第２３頁下から７行〜同下から３行
「産業上の利用可能性
　ジアミド誘導体（１）は、角質細胞間の脂質層に浸透し、角質層の水分保持能力とバリアー機能を改善（維持・補強）する効果を有し、その効果により肌荒れを予防・治療し、皮膚の老化を予防する。また毛髪に浸透してその保護効果を高め、毛髪の感触を向上させ、頭皮の荒れを予防・改善することができる。」
　
（４）対比・判断
　刊行物１には、一般式（１）：
（式中、Ｒ１は、ヒドロキシ基及び／又はアルコキシ基が置換していてもよい、炭素数１〜２２の直鎖又は分岐鎖の炭化水素基を示し、Ｒ２は、炭素数１〜１２の直鎖又は分岐鎖の二価の炭化水素基を示し、Ｒ３は、炭素数１〜４２の直鎖又は分岐鎖の二価の炭化水素基を示す。）で表わされるジアミド誘導体を含有する外用剤組成物が記載されており（記載事項１−１）、上記式（１）中の記号Ｒ１〜Ｒ３の好ましいものとして、Ｒ１についてはＣ１−Ｃ１８アルキル基、Ｃ２−Ｃ１２のモノ−又はジ−ヒドロキシアルキル基、Ｃ１−Ｃ６アルコキシ置換Ｃ２−Ｃ１２アルキル基、ヒドロキシとＣ１−Ｃ６アルコキシが置換したＣ２−Ｃ１２アルキル基、Ｒ２については炭素数２〜６の直鎖又は分岐鎖のアルキレン基、Ｒ３については炭素数２〜２４の直鎖又は分岐鎖のアルキレン基又は１〜４個の二重結合を有するアルケニレン基が記載されている（記載事項１−２〜１−４）。また、上記外用組成物の使用形態として毛髪化粧料が記載されており（記載事項１−１、１−５）、ジアミド誘導体（１）の毛髪化粧料中の含有量は、シャンプー等にあっては０．００１〜５％、リンス、トリートメント、コンディショナー、スタイリング剤等にあっては０．１〜２０％、ヘアリキッド、ヘアトニック等にあっては０．０１〜５％程度が好ましいこと（記載事項１−７）、化粧料（皮膚化粧料及び毛髪化粧料を含む）として使用する場合は、化粧料成分として一般に使用されている油分、界面活性剤、保湿剤、紫外線吸収剤、美白剤、しわ改善剤、アルコール類、キレート剤、ｐＨ調整剤、防腐剤、増粘剤、色素、香料等を任意に組合せて配合することができること（記載事項１−５）、そして、毛髪に良好な感触を付与するため、モノ−又はジ−長鎖アルキル四級アンモニウム塩等のカチオン界面活性剤、ポリオキシエチレンアルキル又はアルケニルエーテル等の非イオン界面活性剤、及び流動パラフィン等の油脂類（審決注：「流動パラフィン等の油脂類」は、記載事項１−５及び技術常識からみて、「流動パラフィン等の油類」の誤記と認める。）を含有させることができ、カチオン及びノニオン界面活性剤の配合量は、組成物中０．１〜５０％、特に０．５〜２０％が好ましいこと（記載事項１−８）が記載されている。上記配合量は重量％の数値であるから（記載事項１−６）、そうすると、刊行物１には、
「一般式（１）：
（式中、Ｒ１はＣ１−Ｃ１８アルキル基、Ｃ２−Ｃ１２のモノ−又はジ−ヒドロキシアルキル基、Ｃ１−Ｃ６アルコキシ置換Ｃ２−Ｃ１２アルキル基、ヒドロキシとＣ１−Ｃ６アルコキシが置換したＣ２−Ｃ１２アルキル基を示し、Ｒ２は炭素数２〜６の直鎖又は分岐鎖の二価のアルキレン基を示し、Ｒ３は炭素数２〜２４の直鎖又は分岐鎖のアルキレン基又は１〜４個の二重結合を有するアルケニレン基を示す。）で表わされるジアミド誘導体を０．００１〜２０重量％、界面活性剤を０．１〜５０重量％、及び流動パラフィン等の油類を含有する毛髪化粧料」に係る発明（以下、「引用発明」という。）が記載されているものと認められる。
　そこで、本願補正発明と引用発明とを対比すると、両者は、
「一般式（１）で表されるジアミド化合物０．０１〜２０重量％
〔式中、Ｒ１はＣ１−Ｃ１２アルキル基、Ｃ２−Ｃ１２のモノ−又はジ−ヒドロキシアルキル基、Ｃ１−Ｃ６アルコキシ置換Ｃ２−Ｃ１２アルキル基、ヒドロキシとＣ１−Ｃ６アルコキシが置換したＣ２−Ｃ１２アルキル基を示し、Ｒ２は炭素数２〜５の直鎖又は分岐鎖の二価のアルキレン基を示し、Ｒ３は炭素数１１〜２２の直鎖又は分岐鎖のアルキレン基又は１〜４個の二重結合を有するアルケニレン基を示す。〕と、界面活性剤０．１〜２０重量とを含有する毛髪化粧料」である点で一致し、
（ア）前者は炭素数１２〜３０の高級アルコール０．１〜２０重量％を含有するのに対して、後者はそのように特定されておらず、流動パラフィン等の油類を含有するとされている点
で相違する。
　
　そこで、相違点（ア）について検討すると、リンス、トリートメントの技術分野において、高級アルコールはパラフィンなどと同様にリンス、トリートメント用油性原料として周知のものであり、しかも、それらはカチオン界面活性剤と併用すると著しくリンス効果を高めるため、準必須成分ともいえるものであるから（もし必要であれば、「周知・慣用技術集（化粧料及び類似品），特許庁，昭和５９年８月２１日，p.60，II 毛髪化粧料 １−３「リンス・トリートメント用油性原料（１）」の項、特開平１０−００７５３２号公報、特開２０００−０７２６２８号公報を参照。）、引用発明において油類として高級アルコールを配合することは当業者が容易に想到し得ることであり、本願引用発明における高級アルコールの炭素数の範囲及び配合割合についても、当業者が通常採用する程度のものにすぎないと認められる。
　
　そして、本願発明の「物理的・化学的刺激から毛髪を保護して枝毛・切れ毛の発生を抑制し、更に毛髪にしっとり感、なめらかさ等の良好な感触を付与することができる。」（本願明細書段落【００５４】との効果についても、刊行物１における「毛髪に浸透してその保護効果を高め、毛髪の感触を向上させ」るとの記載（記載事項１−９）や本件出願時の技術常識を勘案すると、当業者であれば十分予測し得たものと認められる。
　審判請求人は平成１７年４月１３日付けの審判請求書の請求の理由を補正する手続補正書において、比較試験のデータを示し、「高級アルコールの感触向上効果と枝毛・切れ毛抑制効果は小さく、また比較例１より、ジアミド化合物のみでもこれらの効果は十分でないことが分かる。これに対し、実施例１のようにジアミド化合物に高級アルコールを併用した場合には、これらの効果は顕著に向上する。」と主張しているが（第４頁(４) ii)-4) 〔追加比較試験〕の項目）、当該データを参酌しても、本願補正発明の効果はジアミド化合物、高級アルコール及びカチオン界面活性剤を併用する場合に刊行物１及び技術常識から当業者の予想する程度のものと認められ、格別顕著なものとはいえないから、審判請求人の主張は採用できない。
　
（５）むすび
　以上のとおりであるから、本願補正発明は刊行物１に記載された発明に基づいて当業者が容易に発明をすることができたものであり、特許法第２９条第２項の規定により、特許出願の際独立して特許を受けることができないものである。
　よって、本件補正は特許法第１７条の２第５項において準用する同法第１２６条第５項の規定に違反するので、同法第１５９条第１項の規定において読み替えて準用する同法第５３条第１項の規定により却下すべきものである。
　
３．本願発明
　平成１７年２月２１日付けの手続補正は上記のとおり却下されたので、本件出願の請求項１〜３に係る発明は、平成１６年７月５日付けの手続補正書により補正された明細書の記載からみて、その特許請求の範囲の請求項１〜３に記載された事項により特定されるとおりのものと認められるところ、その請求項１に係る発明は、以下の事項により特定されるものである。
「【請求項１】
　次の成分(A)及び(B)
(A) 高級アルコール又は脂肪酸若しくはその塩
(B) 一般式(1)で表されるジアミド化合物
【化１】
〔式中、Ｒ１は水酸基及び／又はアルコキシ基が置換していてもよい炭素数１〜１２の直鎖又は分岐鎖の炭化水素基を示し、Ｒ２は炭素数２〜５の直鎖又は分岐鎖の二価の炭化水素基を示し、Ｒ３は炭素数１〜２２の直鎖又は分岐鎖の二価の炭化水素基を示す。〕
を含有する毛髪化粧料。」（以下、「本願発明」という。）
　
４．刊行物及び記載事項
　原査定の拒絶の理由に引用された刊行物１の記載事項は、上記２．（３）に記載したとおりである。
　
５．対比・判断
　本願発明は本願補正発明を包含するものであるから、前記２．（４）に記載したのと同様な理由により、本願発明は刊行物１に記載された発明に基づいて当業者が容易に発明をすることができたものと認められる。
　
６．むすび
　以上のとおり、本願発明は刊行物１に記載された発明に基づいて当業者が容易に発明をすることができたものであり、特許法第２９条第２項の規定により特許を受けることができないものであるから、他の請求項に係る発明について検討するまでもなく、本願は拒絶をすべきものである。
　よって、結論のとおり審決する。